(57)【要約】【課題】伸筒した場合に生じる光学性能の劣化を抑制する。【解決手段】レンズ鏡筒であって、固定筒と、固定筒の周面に沿って回転操作され、内周に複数の溝および複数の突起の一方が配された操作環と、固定筒に対して回転を規制され、かつ、操作環の複数の溝および複数の突起の一方に係合する他方を有し、操作環が回転操作された場合に固定筒に対して直進する直進筒と、操作環と一体的に回転し、かつ、直進筒と一体的に直進する回転筒と、直進筒および回転筒の一方に回転を規制され、直進筒および回転筒の他方から駆動力を受けて直進筒および回転筒に対して直進し、光学部材を支持する支持部とを備える。【選択図】図４
2018142030.tif 000002
【特許請求の範囲】
【請求項１】
固定筒と、
前記固定筒に対して回転可能な回転環と、
前記固定筒に対して回転を規制され、前記回転環が回転すると前記固定筒に対して直進する直進筒と、
前記直進筒に対して回転可能に係合し、前記回転環が回転すると前記固定筒に対して回転かつ直進する回転直進筒と、を備え、
前記固定筒は、外周面に形成された案内溝を有し、
前記案内溝は、光軸周りのらせん状に形成されたらせん部を有し、
前記回転直進筒は、前記らせん部に対向する面を備えて前記案内溝に係合する係合部を有する
レンズ鏡筒。
【請求項２】
前記レンズ鏡筒に含まれるレンズのうち最も物体側に配置される第１レンズと、
前記第１レンズを保持する第１レンズ枠と、
を備え、
前記回転直進筒は、外周面に形成された外周カム溝を有し、
前記第１レンズ枠は、前記外周カム溝に係合する第１カムピンを有する請求項１に記載のレンズ鏡筒。
【請求項３】
前記第１レンズより像側に配置される像側レンズと、
前記像側レンズを保持する像側レンズ枠と、
を備え、
前記回転直進筒は、内周面に形成された内周カム溝を有し、
前記像側レンズ枠は、前記内周カム溝に係合する像側カムピンを有する請求項２に記載のレンズ鏡筒。
【請求項４】
前記第１レンズ枠の外周に前記直進筒が配置され、前記第１レンズ枠の外周面と前記直進筒の内周面とは接触しながら相対移動可能である請求項２または３に記載のレンズ鏡筒。
【請求項５】
前記第１レンズ枠は、前記回転直進筒の外周面と前記直進筒の内周面との間に配置される請求項２から４のいずれか一項に記載のレンズ鏡筒。
【請求項６】
前記固定筒には、光軸方向に沿った直進溝が配置され、
前記回転環には、光軸周りにらせん状の溝が配置され、
前記直進筒には、前記直進溝に係合する係合突起と、前記らせん状の溝に平行な面で接触して係合する突起と、が配置され、
前記直進筒は、前記直進溝と前記係合突起との係合より前記固定筒に対する光軸周りの回転が制限され、前記らせん状の溝と前記突起との係合により前記回転環に対する光軸方向の位置決めがされる請求項１から５のいずれか一項に記載のレンズ鏡筒。
【請求項７】
前記直進溝および前記係合突起が接触する位置は、前記らせん状の溝および前記突起が接触する位置と、前記レンズ鏡筒の光軸方向に離間する請求項６に記載のレンズ鏡筒。
【請求項８】
前記突起は、前記直進筒および前記固定筒の重なりが最も小さい場合に前記らせん状の溝と係合する位置に配される請求項６または７に記載のレンズ鏡筒。
【請求項９】
前記回転直進筒の外周側に前記直進筒が配置され、
前記係合突起は、前記直進筒の直進方向の一端であって、かつ、回転直進筒の外周面より内周側に形成される請求項６から８のいずれか一項に記載のレンズ鏡筒。
【請求項１０】
前記直進筒は、前記固定筒に対する重なりが最も小さい場合に前記直進溝と係合する位置に前記係合突起を有し、前記回転環に対する重なりが最も小さい場合に前記らせん状の溝と係合する位置に前記突起を有する請求項６から９のいずれか一項に記載のレンズ鏡筒。
【請求項１１】
前記回転直進筒の外周側に前記直進筒が配置される請求項１から１０のいずれか一項に記載のレンズ鏡筒。
【請求項１２】
前記回転直進筒は、前記直進筒の直進方向の一端側に形成されたバヨネット爪を有し、
前記直進筒は、内周面に周方向に延在するように形成された、前記バヨネット爪に係合するバヨネット溝を有する請求項１から１１のいずれか１項に記載のレンズ鏡筒。
【請求項１３】
前記回転直進筒は外周面に固定された連結ピンを有し、
前記連結ピンは前記直進筒を内周側から外周側に貫通して、前記回転環に係合する請求項１から１２のいずれか１項に記載のレンズ鏡筒。
【請求項１４】
請求項１から１３のいずれか一項に記載のレンズ鏡筒を備えた撮像装置。
【発明の詳細な説明】
【技術分野】
【０００１】
本発明は、レンズ鏡筒および撮像装置に関する。
【背景技術】
【０００２】
ベース部材に対して変位可能に支持されたカム筒と、当該カム筒に支持され、且つ、当該カム筒に対して更に変位する直進筒を備えたズームレンズ鏡筒がある（特許文献１参照）。
［特許文献１］  特開２０１２−０４２５７８号公報
【発明の概要】
【発明が解決しようとする課題】
【０００３】
カム筒に対する直進筒のがたがベース部材に対するカム筒のがたに重畳されて、直進筒に保持された光学部材の光軸が傾き、ズームレンズ鏡筒の光学特性が劣化する場合がある。
【課題を解決するための手段】
【０００４】
本発明の第一態様においては、固定筒と、固定筒に対して回転可能な回転環と、固定筒に対して回転を規制され、回転環が回転すると固定筒に対して直進する直進筒と、直進筒に対して回転可能に係合し、回転環が回転すると固定筒に対して回転かつ直進する回転直進筒と、を備え、固定筒は、外周面に形成された案内溝を有し、案内溝は、光軸周りのらせん状に形成されたらせん部を有し、回転直進筒は、らせん部に対向する面を備えて案内溝に係合する係合部を有するレンズ鏡筒が提供される。
【０００５】
本発明の第二態様においては、上記レンズ鏡筒を備える撮像装置が提供される。
【０００６】
上記発明の概要は、この発明の必要な特徴の全てを列挙したものではない。これらの特徴群のサブコンビネーションもまた発明となり得る。
【図面の簡単な説明】
【０００７】
【図１】カメラシステム１００の模式的断面図である。
【図２】レンズユニット２００の模式的断面図である。
【図３】レンズユニット２００の部分的な分解斜視図である。
【図４】操作環２０２の平面図である。
【発明を実施するための形態】
【０００８】
以下、発明の実施の形態を通じて本発明を説明する。下記の実施形態は特許請求の範囲にかかる発明を限定するものではない。下記の実施形態の中で説明されている特徴の組み合わせの全てが発明の解決手段に必須であるとは限らない。
【０００９】
図１は、カメラシステム１００の模式的断面図である。カメラシステム１００は、レンズユニット２００およびカメラボディ３００を含む。なお、記載を簡潔にする目的で、下記の説明においては、カメラボディ３００に装着されたレンズユニット２００に対して物体側を、カメラシステム１００の前側または先側と記載する。また、レンズユニット２００に対して物体から遠い側を、カメラシステム１００における後側または背面側と記載する。
【００１０】
レンズユニット２００は、光軸Ｘに沿って配置された第一レンズ群２１０、第二レンズ群２２０、第三レンズ群２３０および第四レンズ群２４０を含む光学系を有する。第一レンズ群２１０、第二レンズ群２２０、第三レンズ群２３０および第四レンズ群２４０は、それぞれ個別のレンズ保持枠２１２、２２２、２３２、２４２に個別に保持される。
【００１１】
図示のレンズユニット２００は、第一レンズ群２１０、第二レンズ群２２０、第三レンズ群２３０および第四レンズ群２４０が相互に接近した沈胴状態にある。これにより、レンズユニット２００の光軸Ｘ方向の長さが短縮されて携帯性は向上するが、光学装置としての機能は利用できない状態にある。
【００１２】
レンズユニット２００は、固定筒２０１、操作環２０２、直進筒２０３、先筒２０４、カム筒２０５、案内筒２０６、第一移動枠２０７および第二移動枠２０９を含む鏡筒を有する。固定筒２０１は、後端にレンズ側マウント部２０８を有する。レンズ側マウント部２０８をカメラボディ３００前面のボディ側マウント部３６０と結合させることにより、固定筒２０１は、カメラボディ３００に対して結合される。
【００１３】
レンズ側マウント部２０８およびボディ側マウント部３６０の結合は解除できる。よって、カメラボディ３００は、規格に適合するレンズ側マウント部２０８を有する他のレンズユニット２００と組み合わせても使用できる。
【００１４】
操作環２０２は、固定筒２０１の外周面に配され、ユーザの操作により、光学系の光軸Ｘを回転軸として回転する。操作環２０２は、内面に形成されたカム溝、直溝等により、直進筒２０３およびカム筒２０５に係合する。直進筒２０３は、固定筒２０１に対して光軸Ｘ方向に移動する。また、カム筒２０５は、操作環２０２と共に回転しつつ、直進筒２０３に連れ従って光軸Ｘ方向に移動する。
【００１５】
なお、カム筒２０５の内側に位置する案内筒２０６は、固定筒２０１に結合されて固定筒２０１に対して移動しない。よって、カム筒２０５は、案内筒２０６に対しても光軸Ｘ方向に移動する。
【００１６】
先筒２０４は、直進筒２０３およびカム筒２０５にそれぞれ係合して支持される。これにより、先筒２０４は、直進筒２０３およびカム筒２０５の固定筒２０１に対する移動に連れ従って光軸Ｘ方向に移動する。
【００１７】
更に、先筒２０４は、回転することなく光軸Ｘ方向に移動する直進筒２０３と、回転しつつ光軸Ｘ方向に移動するカム筒２０５との間で駆動されて、直進筒２０３およびカム筒２０５に対しても移動する。先筒２０４は、第一レンズ群２１０を保持するレンズ保持枠２１２を先端に支持しているので、先筒２０４の移動に伴って第一レンズ群２１０も移動する。
【００１８】
第一移動枠２０７および第二移動枠２０９は、カム筒２０５に形成されたカム溝に係合するカムピン２８３、２８４をそれぞれ有して、カム筒２０５の回転に伴って固定筒２０１に対して光軸Ｘ方向に個別に移動する。これにより、第一移動枠２０７は、第二レンズ群２２０を保持したレンズ保持枠２２２を光軸光方向移動させる。また、第二移動枠２０９は、第四レンズ群２４０を保持するレンズ保持枠２４２に連結され、第四レンズ群２４０を光軸Ｘ方向移動させる。
【００１９】
更に、第三レンズ群２３０を保持するレンズ保持枠２３２は、第四レンズ群２４０を保持するレンズ保持枠２４２に対して固定された送りねじ組立体２７０により駆動されて、レンズ保持枠２４２に対して更に移動可能に支持される。送りねじ組立体２７０は、ステッピングモータ２７２、送りねじ２７４およびフレーム２７６を有する。
【００２０】
フレーム２７６は、ステッピングモータ２７２および送りねじ２７４を一体的に支持し、レンズ保持枠２４２に対して固定される。ステッピングモータ２７２は、送りねじ２７４を回転駆動する。送りねじ２７４は、ラック部材２７８を介してレンズ保持枠２３２と係合する。
【００２１】
これにより、レンズ保持枠２３２に保持された第三レンズ群２３０を移動させることができる。第三レンズ群２３０が移動した場合、レンズユニット２００の光学系の焦点位置が変化する。よって、カメラボディ３００側からの信号に基づいてステッピングモータ２７２を電気的に制御することにより、レンズユニット２００を合焦させることができる。
【００２２】
カメラボディ３００は、ボディ側マウント部３６０の後方に配されたミラーユニット３７０を備える。ミラーユニット３７０の下方には合焦光学系３８０が配される。ミラーユニット３７０の上方にはフォーカシングスクリーン３５２が配される。
【００２３】
フォーカシングスクリーン３５２の更に上方にはペンタプリズム３５４が配され、ペンタプリズム３５４の後方にはファインダ光学系３５６が配される。ファインダ光学系３５６の後端は、ファインダ３５０としてカメラボディ３００の背面に露出する。
【００２４】
ミラーユニット３７０の後方には、シャッタユニット３１０、ローパスフィルタ３３２、撮像素子３３０、基板３２０および表示部３４０が順次配される。液晶表示板等により形成される表示部３４０は、カメラボディ３００の背面に表われる。基板３２０には、制御部３２２および画像処理部３２４等が実装される。
【００２５】
ミラーユニット３７０は、メインミラー３７１およびサブミラー３７４を含む。メインミラー３７１は、メインミラー回動軸３７３により軸支されたメインミラー保持部３７２に支持される。
【００２６】
サブミラー３７４は、サブミラー回動軸３７６により軸支されたサブミラー保持部３７５に支持される。サブミラー保持部３７５は、メインミラー保持部３７２に対して回動する。よって、メインミラー保持部３７２が回動した場合、サブミラー保持部３７５もメインミラー保持部３７２と共に変位する。
【００２７】
メインミラー保持部３７２の前端が降下した場合、メインミラー３７１は、レンズユニット２００から入射した入射光束上に斜めに位置する。メインミラー保持部３７２が上昇した場合、メインミラー３７１は、入射光束を避けた位置に退避する。
【００２８】
メインミラー３７１が入射光束上に位置する場合、レンズユニット２００を通じて入射した入射光束は、メインミラー３７１に反射されてフォーカシングスクリーン３５２に導かれる。フォーカシングスクリーン３５２は、レンズユニット２００の光学系と共役な位置に配されて、レンズユニット２００の光学系が形成した像を可視化する。
【００２９】
フォーカシングスクリーン３５２上の像は、ペンタプリズム３５４およびファインダ光学系３５６を通じてファインダ３５０から観察される。ここで、ペンタプリズム３５４を通じて像を観察することにより、ファインダ３５０からは正立正像を観察できる。
【００３０】
測光センサ３９０は、ファインダ光学系３５６の上方に配され、分岐されさた入射光束の一部を受光する。測光センサ３９０は、被写体輝度を検出して、制御部３２２に撮影条件の一部である露出条件を算出させる。
【００３１】
メインミラー３７１は、入射光束の一部を透過するハーフミラー領域を有する。サブミラー３７４は、ハーフミラー領域から入射した入射光束の一部を、合焦光学系３８０に向かって反射する。合焦光学系３８０は、入射した入射光束の一部を焦点検出センサ３８２に導く。これにより、制御部３２２は、レンズユニット２００の光学系を合焦させる場合に移動するレンズの目標位置を決定する。
【００３２】
上記のようなレンズユニット２００およびカメラボディ３００を備えるカメラシステム１００においてレリーズボタンが半押しされると、焦点検出センサ３８２および測光センサ３９０が有効になり、被写体像を適切な撮影条件で撮影できる状態になる。次いで、レリーズボタンが全押しされると、メインミラー３７１およびサブミラー３７４が退避位置に移動して、シャッタユニット３１０が開く。これにより、レンズユニット２００から入射した入射光束は、ローパスフィルタ３３２を通過して、撮像素子３３０に入射する。
【００３３】
図２は、レンズユニット２００の他の状態を示す部分的な断面図であり、光軸Ｘに対して図中上側に、広角側に変倍されたレンズユニット２００の断面を示す。また、図２において、光軸Ｘに対して図中下側には、望遠側に変倍されたレンズユニット２００の断面を示す。
【００３４】
なお、図２において、図１と共通の要素には同じ参照番号を付して重複する説明を省く。ただし、図２は、光軸Ｘを含む断面である点で図１と共通するものの、図１とは異なる断面が示されており、図１と共通の要素であっても、図１とは異なる形状で現れている場合がある。
【００３５】
レンズユニット２００において、直進筒２０３は、リード部２８１において操作環２０２と係合する。直進筒２０３は、固定筒２０１に対する回転が抑制されているので、操作環２０２が回転操作された場合、光軸Ｘ方向に移動する駆動力を操作環２０２から受ける。
【００３６】
カム筒２０５は、それ自体の後端付近に配されたバヨネット爪２８６により、直進筒２０３の後端付近に係合する。バヨネット爪２８６は、直進筒２０３の内面に周方向に延在するバヨネット溝に係合するので、カム筒２０５は、光軸Ｘの周りに回転できる。しかしながら、直進筒２０３が光軸Ｘ方向に移動した場合は、直進筒２０３に連れ従って、カム筒２０５も光軸方向に移動する。換言しれば、カム筒２０５と直進筒２０３とは、光軸Ｘ方向に限って係合されている。
【００３７】
また、カム筒２０５は、それ自体の外周面に固定された連結ピン２８５を通じて、操作環２０２の内面に光軸Ｘと平行に設けられた溝に係合する。これにより、操作環２０２が回転操作された場合、カム筒２０５も回転する。
【００３８】
既に説明した通り、操作環２０２が回転操作された場合、直進筒２０３は光軸Ｘ方向に移動し、カム筒２０５も直進筒２０３に連れ従って移動する。よって、操作環２０２が回転操作された場合、カム筒２０５は、光軸Ｘの周りに回転しつつ、光軸Ｘ方向に移動する。
【００３９】
案内筒２０６は、カム筒２０５の内側に位置して、固定筒２０１に結合されて固定される。よって、操作環２０２が回転操作された場合、直進筒２０３およびカム筒２０５は、案内筒２０６に対しても移動することになる。案内筒２０６は、光軸Ｘの方向についてレンズユニット２００の前端側に向かって延在するので、カム筒２０５を内面側から支持すると共に、直進筒２０３の後端に設けられたキー２８７と係合する直進溝２８８により、直進筒２０３の回転を抑制する。
【００４０】
先筒２０４は、先端に第一レンズ群２１０のレンズ保持枠２１２を支持する。また、先筒２０４は、カムピン２８２等により直進筒２０３およびカム筒２０５に係合して双方から支持される。よって、直進筒２０３およびカム筒２０５が光軸Ｘ方向に移動する場合は、先筒２０４も連れ従って光軸Ｘ方向に移動する。
【００４１】
更に、操作環２０２が回転操作された場合、先筒２０４は、回転することなく光軸Ｘ方向に移動する直進筒２０３と、回転しつつ光軸Ｘ方向に移動するカム筒２０５との間で駆動されて、直進筒２０３およびカム筒２０５に対しても光軸Ｘ方向に移動する。これにより、先筒２０４の先端に保持された第一レンズ群２１０は、固定筒２０１から前方に大きく繰り出される。
【００４２】
このように、操作環２０２が回転操作された場合、第一レンズ群２１０、第二レンズ群２２０、第三レンズ群２３０および第四レンズ群２４０が、固定筒２０１に対してそれぞれ個別に移動する。これにより、操作環２０２の回転量に応じて、レンズユニット２００に形成された光学系の倍率が変化する。また、レンズユニット２００の変倍の範囲を超えて操作環２０２が回転操作された場合、レンズユニット２００は沈胴状態になる。
【００４３】
図３は、レンズユニット２００の一部を示す分解斜視図である。図３には、固定筒２０１、案内筒２０６、操作環２０２、直進筒２０３およびカム筒２０５が示される。図１および図２と共通の要素には同じ参照番号を付して重複する説明を省く。
【００４４】
案内筒２０６は、径方向外側に向かって突出する複数の位置決め部２９５を有する。これにより、案内筒２０６は、固定筒２０１の内側において予め定められた位置に位置決めされ、固定筒２０１に対して固定される。案内筒２０６は、固定筒２０１に対して、例えばねじ止めで固定される。
【００４５】
案内筒２０６の外周面には、複数のリード溝２９４が配される。リード溝２９４は、カム筒２０５の内面に設けられたリード部と係合する。これにより、操作環２０２が回転操作され、カム筒２０５が固定筒２０１に対して回転しつつ光軸Ｘ方向に移動する場合に、カム筒２０５の移動経路が案内される。
【００４６】
また、案内筒２０６の外周面には、光軸Ｘ方向に延在する直進溝２８８が配される。直進溝２８８は、直進筒２０３の後端に設けられたキー２８７と係合して、直進筒２０３の光軸Ｘ方向への移動を許容しつつ回転を規制する。
【００４７】
カム筒２０５は、案内筒２０６の外側に嵌められる。カム筒２０５は、それ自体の外周面の後端近傍に、径方向に突出する複数のバヨネット爪２８６を有する。バヨネット爪２８６は、直進筒２０３の後端近傍の内面に、周方向に配されたバヨネット溝と係合する。これにより、カム筒２０５は、直進筒２０３に対する回転を許容されつつ、光軸Ｘ方向については、直進筒２０３と連結される。
【００４８】
また、カム筒２０５は、外周面に多数のカム溝２９１を有する。カム溝２９１は、先筒２０４のカムピン２８２に係合して、直進筒２０３により回転を規制された先筒２０４に、光軸Ｘ方向の駆動力を与える。
【００４９】
直進筒２０３は、カム筒２０５のバヨネット爪２８６と係合するバヨネット溝を内面に有する。バヨネット溝は、直進筒２０３の内面において周方向に延在すると共に、一部が光軸Ｘ方向に切り欠かれる。これにより、カム筒２０５の外側に直進筒２０３を装着した場合に、カム筒２０５のバヨネット爪２８６を、バヨネット溝の内部に光軸Ｘ方向に嵌めることができる。
【００５０】
また、直進筒２０３は、外周面の後端近傍に、複数のリード部２９２を有する。リード部２９２は、直進筒２０３の径方向外側に向かって突出する。なお、前方に繰り出された場合、直進筒２０３の外周面はレンズユニット２００の外部に向かって露出する。よって、直進筒２０３の表面および前端は、溝、突起、切欠き等を設けずに平坦に仕上げられる。
【００５１】
操作環２０２は、レンズユニット２００の最外周に取付られ、固定筒２０１に対して回転する。操作環２０２の内面には、螺旋状の複数のリード溝２９３が配される。操作環２０２がレンズユニット２００に取り付けられた場合、リード溝２９３は、直進筒２０３のリード部２９２と係合する。
【００５２】
上記のような固定筒２０１、操作環２０２、直進筒２０３、カム筒２０５および案内筒２０６を備えたレンズユニット２００においては、直進筒２０３のリード部２９２が、直進筒２０３の後端近傍に配置されている。また、リード溝２９３は、操作環２０２の内面前端まで延在している。よって、直進筒２０３を、その全長に近い長さまで繰り出すことができ、レンズユニット２００の変倍率を大きくできる。
【００５３】
また、リード溝２９３に係合するリード部２９２が、直進筒２０３の周上に複数設けられているので、操作環２０２による直進筒２０３の位置決めが安定する。更に、直進筒２０３は、リード部２９２の位置から光軸Ｘ方向に離間した後端に設けられた複数のキー２８７において、固定筒２０１に固定された案内筒２０６に係合する。よって、直進筒２０３の光軸Ｘに対する傾きがぶれることが防止される。
【００５４】
更に、直進筒２０３の固定筒２０１に対する傾きが安定するので、直進筒２０３に支持された先筒２０４の光軸に対する傾きが変化することも抑制される。よって、直進筒２０３および先筒２０４により２段階に伸筒しても、レンズユニット２００の光学性能が変化し難い。これにより、高い光学性能を安定して発揮する高倍率の変倍レンズユニットを提供できる。換言すれば、光学性能を維持しつつ、より変倍率の高いレンズユニット２００を形成できる。
【００５５】
図４は、操作環２０２の模式的側面図であり、図中右側がレンズユニット２００の後端側に相当する。図１、図２および図３と共通の要素には同じ参照番号を付して重複する説明を省く。
【００５６】
操作環２０２の内面には、リード溝２９３および駆動溝２９６が配される。リード溝２９３および駆動溝２９６は、いずれも螺旋状に形成されるが、光軸Ｘに対する傾きは相互に異なる。
【００５７】
ここで、リード溝２９３に対しては、直進筒２０３のリード部２９２が係合する。リード部２９２は、リード溝２９３の側壁に倣った平行四辺形の平面形状を有する。よって、リード部２９２およびリード溝２９３は、点接触あるいは線接触ではなく、面どうしの接触により係合する。
【００５８】
また、操作環２０２において、駆動溝２９６に対しては、連結ピン２８５が係合する。連結ピン２８５も、レンズユニット２００の径方向に見た場合に、一対の平行面を含む平面形状を有する。よって、駆動溝２９６および連結ピン２８５も、点接触あるいは線接触ではなく、面どうしの接触により係合する。
【００５９】
上記のような操作環２０２の内面において、リード溝２９３の延在方向について、リード部２９２におけるリード溝２９３に接する面の長さは、駆動溝２９６の幅よりも長い。また、駆動溝２９６の延在方向について、連結ピン２８５における駆動溝２９６に接する面の長さは、リード溝２９３の幅よりも長い。これにより、駆動溝２９６およびリード溝２９３の交差点においても、連結ピン２８５の駆動溝２９６に対する係合が維持される。また、駆動溝２９６およびリード溝２９３の交差点において、リード部２９２のリード溝２９３に対する係合が維持される。
【００６０】
以上、交換可能なレンズユニット２００を備えたレンズ交換式一眼レフカメラを例にあげて説明したが、クイックリターンミラーを備えていないレンズ交換式の撮像装置であっても上記の構造を適用できる。更に、レンズユニット２００とカメラボディ３００が一体に形成されたカメラの他、ラック機構４００により駆動する光学部材を備えた望遠鏡、測量器、顕微鏡等においても上記の構造を適用できる。
【００６１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００６２】
１００  カメラシステム、２００  レンズユニット、２０１  固定筒、２０２  操作環、２０３  直進筒、２０４  先筒、２０５  カム筒、２０６  案内筒、２０７  第一移動枠、２０８  レンズ側マウント部、２０９  第二移動枠、２１０  第一レンズ群、２１２、２２２、２３２、２３２、２４２  レンズ保持枠、２２０  第二レンズ群、２３０  第三レンズ群、２４０  第四レンズ群、２７０  送りねじ組立体、２７２  ステッピングモータ、２７４  送りねじ、２７６  フレーム、２７８  ラック部材、２８１、２９２  リード部、２８２、２８３、２８４  カムピン、２８５  連結ピン、２８６  バヨネット爪、２８７  キー、２８８  直進溝、２９１  カム溝、２９３、２９４  リード溝、２９５  位置決め部、２９６  駆動溝、３００  カメラボディ、３１０  シャッタユニット、３２０  基板、３２２  制御部、３２４  画像処理部、３３０  撮像素子、３３２  ローパスフィルタ、３４０  表示部、３５０  ファインダ、３５２  フォーカシングスクリーン、３５４  ペンタプリズム、３５６  ファインダ光学系、３６０  ボディ側マウント部、３７０  ミラーユニット、３７１  メインミラー、３７２  メインミラー保持部、３７３  メインミラー回動軸、３７４  サブミラー、３７５  サブミラー保持部、３７６  サブミラー回動軸、３８０  合焦光学系、３８２  焦点検出センサ、３９０  測光センサ
【図１】
2018142030.tif 000003
【図２】
2018142030.tif 000004
【図３】
2018142030.tif 000005
【図４】
2018142030.tif 000006